(57)【要約】  ベッド体、複数枚のベッドパネル、覚醒装置、クロック及び主制御ボックスを含む電動ベッドであり、前記主制御ボックスは、前記覚醒装置及び前記クロックに電気的に接続され、かつ、覚醒時間の記憶に適しており、前記電動ベッドは、モニタリングモジュールを更に含み、前記モニタリングモジュールは、処理モジュール及びセンサを含み、前記センサは、前記処理モジュールに電気的に接続され、かつ、ユーザがベッドを離れたか否かのモニタリングに適しており、ユーザがベッドを離れていないことを前記センサが検知すると、前記処理モジュールは、記憶されている覚醒時間に基づき前記クロックが前記覚醒時間に達すると、前記覚醒装置を励起し、ユーザがすでにベッドを離れていることを前記センサが検知すると、前記処理モジュールは、前記クロックが覚醒時間に達しても、前記覚醒装置を励起しない。当該電動ベッドは、覚醒操作を実行するか否かを自動的に判断することができ、インテリジェント化の程度が向上しており、かつ、更に、インテリジェント端末が設定した覚醒時間及び覚醒方式を受信する無線通信モジュールを含むことができ、操作の自由度が向上している。
2019504689.tif 000002
【特許請求の範囲】
【請求項１】
ベッド体、複数枚のベッドパネル、覚醒装置、クロック及び主制御ボックス（２）を含み、前記主制御ボックスは、前記覚醒装置及び前記クロックに電気的に接続され、かつ、覚醒時間の記憶に適している電動ベッドであって、
前記電動ベッドは、モニタリングモジュール（１）を更に含み、前記モニタリングモジュールは、処理モジュール及びセンサを含み、
前記センサは、前記処理モジュールに電気的に接続され、かつ、ユーザがベッドを離れたか否かのモニタリングに適しており、ユーザがベッドを離れていないことを前記センサが検知すると、前記処理モジュールは、記憶されている覚醒時間に基づき前記クロックが前記覚醒時間に達すると、前記覚醒装置を励起し、ユーザがすでにベッドを離れていることを前記センサが検知すると、前記処理モジュールは、前記クロックが覚醒時間に達しても、前記覚醒装置を励起しないことを特徴とする電動ベッド。
【請求項２】
前記センサは、前記複数枚のベッドパネル上に設置される薄膜圧力センサであることを特徴とする請求項１に記載の電動ベッド。
【請求項３】
前記覚醒装置は、前記複数枚のベッドパネルのうちの１枚が反転するように駆動する駆動器であり、前記駆動器は、一端が前記ベッド体にヒンジ接続され、他端が駆動すべきベッドパネルにヒンジ接続され、前記駆動器が前記主制御ボックスにより励起されると、前記駆動器は、それにヒンジ接続するベッドパネルが反転するように駆動することを特徴とする請求項２に記載の電動ベッド。
【請求項４】
前記覚醒装置は、振動マッサージ器であり、前記振動マッサージ器は、少なくとも前記複数枚のベッドパネルのうちの１枚に設置されることを特徴とする請求項２に記載の電動ベッド。
【請求項５】
前記覚醒装置は、ベッド体中に設置される音響装置であることを特徴とする請求項２に記載の電動ベッド。
【請求項６】
前記覚醒装置は、ベッド体中に設置される発光装置であることを特徴とする請求項２に記載の電動ベッド。
【請求項７】
前記覚醒装置は、少なくとも前記複数枚のベッドパネルのうちの１枚が反転するように駆動する駆動器、前記複数枚のベッドパネルのうちの１枚に設置される振動マッサージ器、音響装置及び発光装置のうちの２種またはそれ以上であり、前記主制御ボックスは、更に、覚醒方式を記憶することに適しており、かつ、記憶されている覚醒方式に基づき必要とする覚醒装置を選択することを特徴とする請求項２に記載の電動ベッド。
【請求項８】
無線通信モジュール（３）を更に含み、前記無線通信モジュールは、前記主制御ボックスに電気的に接続され、前記無線通信モジュールは、インテリジェント端末に無線接続され、前記インテリジェント端末は、ユーザにより覚醒時間及び覚醒方式を設定するとともに、前記無線通信モジュールに伝送し、前記無線通信モジュールは、前記覚醒時間及び覚醒方式を受信するとともに、前記主制御ボックスに伝送することを特徴とする前記請求項のいずれか１項に記載の電動ベッド。
【請求項９】
前記モニタリングモジュールは、バイタルサインモニタリングモジュールを更に含み、前記バイタルサインモニタリングモジュールは、ユーザのバイタルサインパラメータをモニタリングし、かつ、前記バイタルサインパラメータを前記処理モジュールに伝送するために用いられ、前記処理モジュールは、更に、受信したバイタルサインパラメータに基づき前記覚醒時間にユーザを覚醒させるか否かを決定することを特徴とする請求項８に記載の電動ベッド。
【請求項１０】
前記モニタリングモジュールは、前記無線通信モジュールに有線接続して、双方向で通信し、前記無線通信モジュールは、前記主制御ボックスに有線接続し、シリアルポート通信が採用されることを特徴とする請求項８に記載の電動ベッド。
【発明の詳細な説明】
【技術分野】
【０００１】
本実用新案は電動ベッドに関するものであり、特にインテリジェント覚醒機能を有する電動ベッドに関する。
【背景技術】
【０００２】
日常生活において、人々は目覚し時計に依存して眠りから覚めて新たな１日の繁忙な労働生活を開始する。目覚し時計への依存から脱却するため、人々は目覚し時計機能を有する目覚しベッドを発明している。
【０００３】
例えば特許文献ＣＮ１０４２４８２６０においては、折畳み式目覚しベッドが公開されており、一体に製造されたタイマ、ピストン制御ロッド及び支持ロッドを含み、タイマが設定された時間に達すると、ピストン制御ロッドが折畳み式ベッドパネルを折り畳むとともに、支持ロッドを立ち上がらせるため、人々はベッドパネルの立ち上げにより着座姿勢となり、目覚し時計の機能が実現される。
【０００４】
また、例えば特許文献ＣＮ１０４７０６０７８においては、ベッド体及びバイブレータを含む目覚しベッドが公開されており、ユーザがベッド体上の電子操作パネルを介して起床時間を設定した後、バイブレータが設定された時間になると振動を介してユーザを覚醒させ、かつ、ユーザは電子操作パネル上でロックを解除しなければ、バイブレータの持続的かつ不断の振動を防止することができない。
【０００５】
しかし、上記２種の既存技術案において、既存の目覚しベッドは、設定された目覚し時間に基づき動作を開始するのみであり、ベッド上に人がいるか否かは無視され、そのため、ユーザが旅行または出張に出かけた場合、ベッドは常に立ち上げまたは振動状態となり、ユーザに不必要な面倒がもたらされることになる。かつ、ユーザが手動で設定しなければ目覚しベッドを初期状態に復帰させることができないため、使用面では非常に不便である。
【０００６】
また、ベッド体上のタイマまたは電子操作パネル上に目覚し時間を設定することも極めて画一的であり、特に、ユーザが急な出張または急な外出の必要がある場合は、すでに設定されている目覚し時間を適時に変更することができず、ユーザが不在であっても目覚しベッドは依然として立ち上げまたは振動の目覚し機能を実行することになり、ユーザに不必要な面倒がもたらされることになる。
【発明の概要】
【０００７】
ここで注意すべきは、本実用新案の目的は、背景技術においてすでに判明している１つまたは複数の欠点を克服するために、ユーザがベッドを離れているか否かを検出可能な電動ベッドを提供し、目覚し時計を始動するか否かを自動的に判断することにあり、当該電動ベッドは、ユーザがすでにベッドを離れていても依然として目覚し機能を実行することによりもたらされる面倒を低減することができる点である。また、当該電動ベッドは、目覚し時間及び目覚し方式を自己定義して、ユーザのパーソナライズされたエクスペリエンスを向上させることができる。
【０００８】
この目的のために、本実用新案に基づきインテリジェント覚醒機能を有する電動ベッドシステムが提出されており、以下の技術案により実現される。
【０００９】
ベッド体、複数枚のベッドパネル、覚醒装置、クロック及び主制御ボックスを含む電動ベッドであり、前記主制御ボックスは、前記覚醒装置及び前記クロックに電気的に接続され、かつ、覚醒時間の記憶に適しており、前記電動ベッドは、モニタリングモジュールを更に含み、前記モニタリングモジュールは、処理モジュール及びセンサを含み、前記センサは、前記処理モジュールに電気的に接続され、かつ、ユーザがベッドを離れたか否かのモニタリングに適しており、ユーザがベッドを離れていないことを前記モニタリングモジュールが検知すると、前記処理モジュールは、記憶されている覚醒時間に基づき前記クロックが前記覚醒時間に達すると、前記覚醒装置を励起し、ユーザがすでにベッドを離れていることを前記センサが検知すると、前記処理モジュールは、前記クロックが覚醒時間に達しても、前記覚醒装置を励起しない。
【００１０】
上記設置により、当該電動ベッドは、ユーザがベッドを離れているか否かの情報を把握するとともに、当該情報に基づき覚醒機能を実行するか否かを決定することができ、既存技術における、ユーザがすでにベッドを離れていたとしても目覚しベッドが依然として目覚しプログラムを実行するとの悩みが解決される。
【００１１】
更に、前記センサは、前記複数枚のベッドパネル上に設置される薄膜圧力センサであり、薄膜圧力センサを介してユーザがベッド上にいるか否かを確実に検出して、主制御ボックスが覚醒機能を実行するか否かを判断する上での信頼性を保証することができる。
【００１２】
更に、前記覚醒装置は、前記複数枚のベッドパネルのうちの１枚が反転するように駆動する駆動器であり、前記駆動器は、一端が前記ベッド体にヒンジ接続され、他端が駆動すべきベッドパネルにヒンジ接続され、前記駆動器が前記主制御ボックスにより励起されると、前記駆動器は、それにヒンジ接続するベッドパネルが反転するように駆動する。このような設置により、当該電動ベッドはベッドパネルを反転させる方式でユーザを覚醒させることができる。
【００１３】
更に、前記覚醒装置は、振動マッサージ器であり、前記振動マッサージ器は、少なくとも前記複数枚のベッドパネルのうちの１枚に設置される。このような設置により、当該電動ベッドは振動マッサージ方式によりユーザを覚醒させることができる。
【００１４】
更に、前記覚醒装置は、ベッド体中に設置される音響装置である。このような設置により、当該電動ベッドは聴覚を介してユーザを覚醒させることができる。
【００１５】
更に、前記覚醒装置は、ベッド体中に設置される発光装置である。このような設置により、当該電動ベッドは視覚を介してユーザを覚醒させることができる。
【００１６】
更に、前記覚醒装置は少なくとも、前記複数枚のベッドパネルのうちの１枚が反転するように駆動する駆動器、前記複数枚のベッドパネルのうちの１枚に設置される振動マッサージ器、音響装置及び発光装置のうちの２種またはそれ以上であり、前記主制御ボックスは、更に、覚醒方式を記憶することに適しており、かつ、記憶されている覚醒方式に基づき必要とする覚醒装置を選択する。このような設置により、当該電動ベッドには、ベッドパネルを反転させてユーザを覚醒させること及び振動マッサージ器によりユーザを覚醒させることの多重覚醒方式が集積されており、更に聴覚及び視覚方式によりユーザを覚醒させることができ、異なる使用者、特に聴覚障害者の需要に適応可能である。また、ベッドパネルの反転折畳み角度及び振動マッサージ器の振動の強さを自己定義して、ユーザのパーソナライズされたエクスペリエンスを更に向上させることができる。
【００１７】
更に、前記電動ベッドは、無線通信モジュールを更に含み、前記無線通信モジュールは、前記主制御ボックスに電気的に接続され、前記無線通信モジュールは、インテリジェント端末に無線接続され、前記インテリジェント端末は、ユーザにより覚醒時間及び覚醒方式を設定するとともに、前記無線通信モジュールに伝送し、前記無線通信モジュールは、前記覚醒時間及び覚醒方式を受信するとともに、前記主制御ボックスに伝送する。このような設置により、ユーザが覚醒パラメータを設定する際の自由度が大幅に向上し、既存の目覚しベッドにおける、目覚し時間を設定する際に使用者のいる場所がベッド体の周囲に局限されるという局限性が改善され、ユーザはいつでもどこでも設定することができる。
【００１８】
更に、前記モニタリングモジュールは、バイタルサインモニタリングモジュールを更に含み、前記バイタルサインモニタリングモジュールは、ユーザのバイタルサインパラメータをモニタリングし、かつ、前記バイタルサインパラメータを前記処理モジュールに伝送するために用いられ、前記処理モジュールは、更に、よりパーソナライズされたサービスを提供するために、受信したバイタルサインパラメータに基づき前記覚醒時間にユーザを覚醒させるか否かを決定する。
【００１９】
更に、前記モニタリングモジュールは、前記無線通信モジュールに有線接続して、双方向で通信し、前記無線通信モジュールは、前記主制御ボックスに有線接続し、シリアルポート通信が採用される。  
【００２０】
上記配置により、本実用新案の電動ベッドは、複数種の単独で選択されるかまたは組み合わせて選択される覚醒方式が提供されているとともに、ユーザがすでに起床しているか否かを自主的に判断して、人々がすでに起床している場合にも依然として覚醒モードが始動する状況の発生が回避され、インテリジェント化かつ電力節減の目的が達成される。また、本実用新案におけるバイタルサインモニタリングモジュールを介して使用者のバイタルサインパラメータをモニタリングすることができ、上記パラメータを結合してパラメータを設定することにより、異なる覚醒モードを設定することができ、ユーザのエクスペリエンスが向上する。また、インテリジェント端末で覚醒時間及び覚醒方式を設定することにより、いつでもどこでも覚醒時間及び覚醒方式を調整することができ、ユーザの操作の自由度が向上する。
【００２１】
ここで理解すべきは、本実用新案においては、明らかな矛盾または互換性がない場合を除き、すべての特徴、変形方式及び／または具体的な実施例を多種類の組合せに応じて互いに結合することができる点である。
【００２２】
以下の非制限的な説明としての具体的な実施例を示すとともに、添付図面を結合することにより、本実用新案のその他の特徴及び利点は自明のものとなる。
【図面の簡単な説明】
【００２３】
【図１】は本実用新案に基づくインテリジェント覚醒機能を有する電動ベッドの構造概略図である。
【図２】は図１におけるインテリジェント覚醒機能の動作の流れ図である。
【発明を実施するための形態】
【００２４】
ここで理解すべきは、上記添付図面は真実の比率ではなく、本実用新案の基本原理を説明するための複数種の好適な特徴の簡略図に過ぎない点である。本実用新案で公開されている設計面の特徴、例えば、サイズ、方向、位置決め及び形状は、具体的な応用及び使用環境に応じて確定される。
【００２５】
以下においては、実施例及び添付図面に基づき本実用新案について詳細に説明する。それらの添付図面において、同一の参考番号は、すべての添付図面において本実用新案の同一または等価な部品を指している。
【００２６】
図１を参照すると、そこには本実用新案の実施例に基づく電動ベッドが示されている。当該電動ベッドは、ベッド体及び複数枚のベッドパネルを含み、それらのベッドパネルは、少なくとも頭部ベッドパネル、腰部ベッドパネル、大腿下腿部ベッドパネル及び足部ベッドパネルを含み、それらのベッドパネルの間はヒンジにより相互にヒンジ接続される。頭部ベッドパネル及び足部ベッドパネルの下方にそれぞれ頭部ベッドパネル及び足部ベッドパネルが反転するように駆動する駆動器及び駆動器に協調して動作する連接棒機構が設置される。頭部ベッドパネル及び足部ベッドパネルが反転する際、その各々の連接棒機構はそれぞれ所定の行程内においてガイド作用を発揮するとともに、頭部ベッドパネル及び足部ベッドパネルが所定の位置まで移動した後には支持作用を発揮して、ユーザが所定の位置まで反転したベッドパネル上に安全かつ確実に寝そべることを保証する。
【００２７】
本実施例においては、頭部ベッドパネル及び足部ベッドパネル中に振動マッサージ器が更に設置され、振動マッサージ器は既存のいずれか１種のマッサージ機能を有する振動器とすることができる。変形形態においては、腰部ベッドパネル及び大腿下腿部ベッドパネル中にも振動マッサージ器を設置することができる。
【００２８】
オプションとして、ベッド体中に発光装置、例えば常見されるランプ、表示パネルなどが更に取り付けられる。
【００２９】
オプションとして、ベッド体中に音響装置、例えば常見される目覚し時計、スピーカなどが更に取り付けられる。
【００３０】
以上に記述している駆動器、振動マッサージ器、発光装置及び音響装置は、電動ベッドの覚醒装置として、ユーザの好みに応じて単独で採用または組み合わせて採用することができる。
【００３１】
電動ベッド中に主制御ボックス２を更に含み、主制御ボックスは、頭部ベッドパネル及び足部ベッドパネルを駆動する駆動器及び振動マッサージ器に電気的に接続されて、制御プログラムに基づき駆動器及び振動マッサージ器の動作を制御する。同様に、ベッド体中に発光装置及び／または音響装置が取り付けられている場合、主制御ボックスは、同様に発光装置及び／または音響装置に電気的に接続されて、制御プログラムに基づき発光装置及び／または音響装置の動作を制御する。特に、当該主制御ボックスは、ベッドパネル下方のベッド体中に設置され、美観効果を発揮する。
【００３２】
また、本電動ベッドのベッドパネル上に薄膜圧力センサが更に敷設され、好適には各ベッドパネル上にいずれも薄膜圧力センサが敷設される。薄膜圧力センサは、主制御ボックスに電気的に接続され、ユーザがベッドを離れているか否かを主制御ボックスが確定するために、モニタリングした圧力値をリアルタイムで主制御ボックスに入力する。当該主制御ボックスは、ユーザがまだベッドを離れていないことを薄膜圧力センサが検知した場合に限って主制御ボックスが覚醒機能を励起することが許容されるように設定され、ユーザがすでにベッドを離れていることを薄膜圧力センサが検知した場合は、主制御ボックスが覚醒機能を励起することは許容されない。
【００３３】
電動ベッド中に、主制御ボックスに電気的に接続される無線通信モジュール３を更に含み、当該無線通信モジュールは、無線接続方式、例えばＷｉ−Ｆｉ、ブルートゥース（登録商標）、赤外線、ＺｉｇＢｅｅ（登録商標）、２Ｇ、３Ｇ、４Ｇまたはインターネットなどの方式で、外部のインテリジェント端末と接続することに適している。ユーザはインテリジェント端末を介して覚醒パラメータを設定して電動ベッドの無線通信モジュールに伝送し、その後、前記インテリジェント端末が送信した覚醒パラメータを無線通信モジュールが主制御ボックスに伝送し、主制御ボックスが覚醒パラメータの要求に応じて駆動器及び振動マッサージ器を制御する。
【００３４】
典型的に、インテリジェント端末は、覚醒時間及び覚醒方式を設定可能であり、既存の目覚しベッドとの違いは、本実施例において設定される覚醒時間は開始時間と終了時間との間の一定時間範囲とすることができ、ある特定の時刻に局限されない点にある。本実用新案の電動ベッドは、特定の覚醒時間にユーザを覚醒させるばかりではなく、開始時間から終了時間までの間のこの覚醒時間範囲において最適な時刻を選択してユーザを覚醒させるため、ユーザは起床後に苛立ちや焦りを感じることはない。そのため、本実施例においてはモニタリングモジュール１を更に含み、以下の文章において詳細に記述する。
【００３５】
モニタリングモジュールは、上記センサ、処理モジュール、及びバイタルサインモニタリングモジュールを含み、特殊な形態変化に応じて、具体的には、深い睡眠時には人体の筋肉が弛緩し、肢体に大きな運動が発生せず、場合によっては全く動かないこと、浅い睡眠時には人体に一定の軽微な動作が発生すること、大幅な身体運動は往々にして浅い睡眠及び目覚め過程において生じることを取り纏めて、身体運動によりユーザが間もなく目覚めることと判断し、当該バイタルサインモニタリングモジュールは、前記主制御ボックスに電気的に接続され、設定された覚醒時間範囲内においてユーザのバイタルサインパラメータをリアルタイムで主制御ボックスに送信し、主制御ボックスは、所定のプログラムに基づきユーザが間もなく目覚める頃に予め設定された覚醒方式を始動してユーザの目覚めを補助する。覚醒方式には、主に、頭部ベッドパネル及び／または足部ベッドパネルを一定角度反転させるかまたは一定の高さまで立ち上げてユーザの起床を補助するか、または振動マッサージ器により早朝にユーザを軽度もしくは中等度にマッサージするか、または徐々に変化する音響もしくは光を発してユーザを覚醒させることが含まれ、ユーザが速やかに精力旺盛な状態となり、１日の効率を高めることを支援する。
【００３６】
本実施例において、モニタリングモジュールは、無線通信モジュールに有線接続され、双方向で通信する。
【００３７】
無線通信モジュールは、Ｗｉ−Ｆｉモジュールであり、状況に応じてブルートゥースモジュール、赤外線モジュール、ＺｉｇＢｅｅモジュール、２Ｇモジュール、３Ｇモジュール、４Ｇモジュールまたはインターネットモジュールなどとすることもでき、インテリジェント端末と無線接続される。無線通信モジュールは、主制御ボックスが実行すべき操作を確定するために、インテリジェント端末が送信した制御信号を受信して主制御ボックスに転送することに適している。
【００３８】
オプションとして、無線通信モジュールは、主制御ボックスの状態情報をインテリジェント端末にフィードバックし、無線通信モジュールは、主制御ボックスに有線接続され、シリアルポート通信が採用される。
【００３９】
インテリジェント端末は、携帯電話、タブレット端末、ノートパソコンなどを含み、インテリジェント端末には、電動ベッドを制御するＡｐｐアプリケーションプログラム及び／またはソフトウェアがインストールされる。インテリジェント端末は、インストールされているＡｐｐアプリケーションプログラム及び／またはソフトウェアを介してインテリジェント端末内部の無線モジュールが指令を搭載した制御信号を発射するように制御し、インテリジェント端末の無線モジュールの類型は電動ベッドの無線通信モジュールの類型と同一で、Ｗｉ−Ｆｉモジュールであり、状況に応じてブルートゥースモジュール、赤外線モジュール、ＺｉｇＢｅｅモジュールなどとすることもできる。この種のＡｐｐアプリケーションプログラム及び／またはソフトウェアは、ヒューマンマシン相互インターフェイスを含み、一方においては、ユーザが選択するための制御指令項目選択インターフェイスを含み、他方においては、ユーザに第１測定値情報を提供する表示インターフェイスを含む。ユーザは、クリック、ダブルクリック、スライド、タッチ、数値入力により制御すべき機能を選択／設定することができる。
【００４０】
ユーザは、インテリジェント端末を介して覚醒時間を設定することができ、インテリジェント端末にはクロックが内蔵され、クロックは、覚醒時間に接近／到達すると、電動ベッドに制御信号を発し、設定されている覚醒方式を励起し、例えば、駆動器が徐々にベッドパネルを立ち上げるように始動させるか、または振動マッサージを始動させるか、または光もしくは音響を発生させるか、またはそのうちの２種類または複数種類を同時に始動させる。
【００４１】
当然、クロックは、主制御ボックスまたは無線通信モジュール中に内蔵することもできる。
【００４２】
主制御ボックスにクロックが内蔵される場合、ユーザは、インテリジェント端末を介して覚醒時間、覚醒方式をインテリジェント端末に記憶させるとともに、無線伝送方式で覚醒時間、覚醒方式を無線通信モジュールに伝送し、覚醒時間に達すると、主制御ボックスが制御信号を発して、モータの動作及びベッド体のマッサージを制御するか、または光または音響発生方式でユーザを覚醒させる。
【００４３】
無線通信モジュールにクロックが内蔵される場合、ユーザは、インテリジェント端末を介して覚醒時間、覚醒方式をインテリジェント端末に記憶させるとともに、無線伝送方式で覚醒時間、覚醒方式を無線通信モジュールに伝送し、目覚し時計が時間になると、制御信号を主制御ボックスに発し、主制御ボックスが、モータの動作及びベッド体のマッサージを制御するか、または光もしくは音響発生方式でユーザを覚醒させる。
【００４４】
図２には、本実用新案における電動ベッドがインテリジェント覚醒機能を実行する際の動作ステップの流れ図が示されている。
【００４５】
ステップ１：ユーザが覚醒時間、覚醒方式をインテリジェント端末に記憶させる。
【００４６】
ステップ２：インテリジェント端末が無線通信方式で覚醒時間、覚醒方式を無線通信モジュールに伝送する。
【００４７】
ステップ３：目覚し時計が時間になるのを待って、ユーザがすでにベッドを離れているか否かを判断し、ベッドを離れている場合は処理しない。
【００４８】
ステップ４：ベッドにいる場合は、モニタリングモジュールがフィードバックした睡眠情報に基づき、ユーザが間もなく目覚めるか否かを判断し、間もなく目覚める場合は、ユーザが設定した覚醒方式に基づきユーザを覚醒させ、そうでない場合には引き続き待機する。
【００４９】
ユーザがマッサージ覚醒方式を設定している場合は、主制御ボックスがマッサージによりユーザを覚醒させる。
【００５０】
ユーザがベッド体の姿勢を調整する覚醒方式を設定している場合は、主制御ボックスがベッド体の姿勢を調整してユーザを覚醒させる。
【００５１】
ユーザがマッサージ覚醒方式及びベッド体の姿勢を調整する覚醒方式を設定している場合は、主制御ボックスがマッサージ及びベッド体の姿勢を調整してユーザを覚醒させる。
【００５２】
また、ユーザは、更に、光または音響を発する方式を用いてユーザを覚醒させるように設定することもできる。
【００５３】
以上の実施例は実例に過ぎず、本実用新案の範囲に対して限定作用は発揮しない。当業者であれば、それを基礎として、本実用新案が権利を要求する保護範囲内において、同一の機能を実現するその他の実施形態を想到することもできる。
【００５４】
当業者であれば、複数種の実施例及び複数種の変形や改良を把握している。特に、ここで明確にすべきは、明らかな矛盾または互換性がない場合を除き、本実用新案における上記特徴、変形方式及び／または具体的な実施例は相互に結合することができる点である。すべてのそれらの実施例及び変形や改良は、いずれも本実用新案の保護範囲に属しているものとする。
【図１】
2019504689.tif 000003
【図２】
2019504689.tif 000004
【手続補正書】
【提出日】平成30年10月1日(2018.10.1)
【手続補正１】
【補正対象書類名】明細書
【補正対象項目名】０００１
【補正方法】変更
【補正の内容】
【０００１】
本発明は電動ベッドに関するものであり、特にインテリジェント覚醒機能を有する電動ベッドに関する。
【手続補正２】
【補正対象書類名】明細書
【補正対象項目名】０００７
【補正方法】変更
【補正の内容】
【０００７】
ここで注意すべきは、本発明の目的は、背景技術においてすでに判明している１つまたは複数の欠点を克服するために、ユーザがベッドを離れているか否かを検出可能な電動ベッドを提供し、目覚し時計を始動するか否かを自動的に判断することにあり、当該電動ベッドは、ユーザがすでにベッドを離れていても依然として目覚し機能を実行することによりもたらされる面倒を低減することができる点である。また、当該電動ベッドは、目覚し時間及び目覚し方式を自己定義して、ユーザのパーソナライズされたエクスペリエンスを向上させることができる。
【手続補正３】
【補正対象書類名】明細書
【補正対象項目名】０００８
【補正方法】変更
【補正の内容】
【０００８】
この目的のために、本発明に基づきインテリジェント覚醒機能を有する電動ベッドシステムが提出されており、以下の技術案により実現される。
【手続補正４】
【補正対象書類名】明細書
【補正対象項目名】００２０
【補正方法】変更
【補正の内容】
【００２０】
上記配置により、本発明の電動ベッドは、複数種の単独で選択されるかまたは組み合わせて選択される覚醒方式が提供されているとともに、ユーザがすでに起床しているか否かを自主的に判断して、人々がすでに起床している場合にも依然として覚醒モードが始動する状況の発生が回避され、インテリジェント化かつ電力節減の目的が達成される。また、本発明におけるバイタルサインモニタリングモジュールを介して使用者のバイタルサインパラメータをモニタリングすることができ、上記パラメータを結合してパラメータを設定することにより、異なる覚醒モードを設定することができ、ユーザのエクスペリエンスが向上する。また、インテリジェント端末で覚醒時間及び覚醒方式を設定することにより、いつでもどこでも覚醒時間及び覚醒方式を調整することができ、ユーザの操作の自由度が向上する。
【手続補正５】
【補正対象書類名】明細書
【補正対象項目名】００２１
【補正方法】変更
【補正の内容】
【００２１】
ここで理解すべきは、本発明においては、明らかな矛盾または互換性がない場合を除き、すべての特徴、変形方式及び／または具体的な実施例を多種類の組合せに応じて互いに結合することができる点である。
【手続補正６】
【補正対象書類名】明細書
【補正対象項目名】００２２
【補正方法】変更
【補正の内容】
【００２２】
以下の非制限的な説明としての具体的な実施例を示すとともに、添付図面を結合することにより、本発明のその他の特徴及び利点は自明のものとなる。
【手続補正７】
【補正対象書類名】明細書
【補正対象項目名】００２３
【補正方法】変更
【補正の内容】
【００２３】
【図１】は本発明に基づくインテリジェント覚醒機能を有する電動ベッドの構造概略図である。
【図２】は図１におけるインテリジェント覚醒機能の動作の流れ図である。
【手続補正８】
【補正対象書類名】明細書
【補正対象項目名】００２４
【補正方法】変更
【補正の内容】
【００２４】
ここで理解すべきは、上記添付図面は真実の比率ではなく、本発明の基本原理を説明するための複数種の好適な特徴の簡略図に過ぎない点である。本発明で公開されている設計面の特徴、例えば、サイズ、方向、位置決め及び形状は、具体的な応用及び使用環境に応じて確定される。
【手続補正９】
【補正対象書類名】明細書
【補正対象項目名】００２５
【補正方法】変更
【補正の内容】
【００２５】
以下においては、実施例及び添付図面に基づき本発明について詳細に説明する。それらの添付図面において、同一の参考番号は、すべての添付図面において本発明の同一または等価な部品を指している。
【手続補正１０】
【補正対象書類名】明細書
【補正対象項目名】００２６
【補正方法】変更
【補正の内容】
【００２６】
図１を参照すると、そこには本発明の実施例に基づく電動ベッドが示されている。当該電動ベッドは、ベッド体及び複数枚のベッドパネルを含み、それらのベッドパネルは、少なくとも頭部ベッドパネル、腰部ベッドパネル、大腿下腿部ベッドパネル及び足部ベッドパネルを含み、それらのベッドパネルの間はヒンジにより相互にヒンジ接続される。頭部ベッドパネル及び足部ベッドパネルの下方にそれぞれ頭部ベッドパネル及び足部ベッドパネルが反転するように駆動する駆動器及び駆動器に協調して動作する連接棒機構が設置される。頭部ベッドパネル及び足部ベッドパネルが反転する際、その各々の連接棒機構はそれぞれ所定の行程内においてガイド作用を発揮するとともに、頭部ベッドパネル及び足部ベッドパネルが所定の位置まで移動した後には支持作用を発揮して、ユーザが所定の位置まで反転したベッドパネル上に安全かつ確実に寝そべることを保証する。
【手続補正１１】
【補正対象書類名】明細書
【補正対象項目名】００３４
【補正方法】変更
【補正の内容】
【００３４】
典型的に、インテリジェント端末は、覚醒時間及び覚醒方式を設定可能であり、既存の目覚しベッドとの違いは、本実施例において設定される覚醒時間は開始時間と終了時間との間の一定時間範囲とすることができ、ある特定の時刻に局限されない点にある。本発明の電動ベッドは、特定の覚醒時間にユーザを覚醒させるばかりではなく、開始時間から終了時間までの間のこの覚醒時間範囲において最適な時刻を選択してユーザを覚醒させるため、ユーザは起床後に苛立ちや焦りを感じることはない。そのため、本実施例においてはモニタリングモジュール１を更に含み、以下の文章において詳細に記述する。
【手続補正１２】
【補正対象書類名】明細書
【補正対象項目名】００４４
【補正方法】変更
【補正の内容】
【００４４】
図２には、本発明における電動ベッドがインテリジェント覚醒機能を実行する際の動作ステップの流れ図が示されている。
【手続補正１３】
【補正対象書類名】明細書
【補正対象項目名】００５３
【補正方法】変更
【補正の内容】
【００５３】
以上の実施例は実例に過ぎず、本発明の範囲に対して限定作用は発揮しない。当業者であれば、それを基礎として、本発明が権利を要求する保護範囲内において、同一の機能を実現するその他の実施形態を想到することもできる。
【手続補正１４】
【補正対象書類名】明細書
【補正対象項目名】００５４
【補正方法】変更
【補正の内容】
【００５４】
当業者であれば、複数種の実施例及び複数種の変形や改良を把握している。特に、ここで明確にすべきは、明らかな矛盾または互換性がない場合を除き、本発明における上記特徴、変形方式及び／または具体的な実施例は相互に結合することができる点である。すべてのそれらの実施例及び変形や改良は、いずれも本発明の保護範囲に属しているものとする。
【国際調査報告】
2019504689.tif 000005
2019504689.tif 000006
2019504689.tif 000007
2019504689.tif 000008